(57)【要約】【課題】軽量かつ適度の硬さを有し、通気性に優れ、バスマットを乾燥させる際の干し具としても使用でき、さらには二つ折りによる格納性にも優れたバスマット敷板の提供を図る。【解決手段】バスマット敷板であって、同幅同長の二枚のスノコ状板からなり、該二枚のスノコ状板の対向内端を連結部材を介して折畳み可能に連結するとともに、一方のスノコ状板における中央桁の外端には前記二枚のスノコ状板を逆Ｖ字状に保持する支持体を回動自在に設けた構成を採る。【選択図】図１
0003104551.tif 000002
【実用新案登録請求の範囲】
【請求項１】
バスマット敷板であって、同幅同長の二枚のスノコ状板からなり、該二枚のスノコ状板の対向する外桁の内端を連結部材を介して折畳み可能に連結するとともに、一方のスノコ状板における中央桁の外端には前記二枚のスノコ状板を逆Ｖ字状に保持する支持体を回動自在に設けたことを特徴とするバスマット敷板。
【考案の詳細な説明】
【技術分野】
【０００１】
本考案は、バスマットの下に敷設される敷板に関するものである。
【背景技術】
【０００２】
従来より、バスマットは脱衣場における浴室扉前の床面に直接敷設される。かかる場合にバスマットは、浴室から出た人の足の裏面の水分や人体から流れ落ちる水分を吸い込み、そのままの状態で放置されると通気性が悪く、カビの発生の原因となって不衛生である。そこで、使用後のバスマットを浴室扉等に設けられたハンガー部材や別体のハンガー器具等に掛けることで、バスマットを乾燥させることが行われているが、バスマットを手で持ち上げてハンガーに掛ける作業は面倒であり、また、不衛生なバスマットを手で持ち上げること自体を嫌う人も多い。
【考案の開示】
【考案が解決しようとする課題】
【０００３】
上記問題点に鑑み、本考案は、軽量かつ適度の硬さを有し、通気性に優れ、バスマットを乾燥させる際の干し具としても使用でき、さらには二つ折りによる格納性にも優れたバスマット敷板を提供することを目的とする。
【課題を解決するための手段】
【０００４】
前記目的を達成するため、本考案は、バスマット敷板であって、同幅同長の二枚のスノコ状板からなり、該二枚のスノコ状板の対向する外桁の内端を連結部材を介して折畳み可能に連結するとともに、一方のスノコ状板における中央桁の外端には前記二枚のスノコ状板を逆Ｖ字状に保持する支持体を回動自在に設けた構成となっている。
【考案の効果】
【０００５】
本考案にかかるバスマット敷板によれば、スノコ状板で構成されているため、通気性に優れ、かつ、軽量で適度の硬さを有した敷板を提供することができる。また、二つ折りが可能な構成となっているため、バスマットを乾燥させる際の干し具としても使用でき、取扱性さらには格納性に優れたバスマット敷板を提供することができるという効果を奏する。
【考案を実施するための最良の形態】
【０００６】
以下、本考案にかかるバスマット敷板を図面に基づいて説明する。
【０００７】
図１は、本考案にかかるバスマット敷板１を示す斜視図である。本考案にかかるバスマット敷板１は、同幅同長の二枚のスノコ状板から構成されている。該スノコ状板は、複数の桟２と、その下面の両外側及び中央に桟２を固定するための桁３、４を配した構成となっており、各桟２及び各桁３、４の間には通気空間６が形成されている。図面に示すように、二枚のスノコ状板を展開した状態でバスマット敷板１として機能し、上面にはバスマットが置かれることとなる。すなわちバスマット敷板１は、バスマットの大きさに適合した寸法に成型されることとなり、種々異なるバスマットの大きさに合わせて様々な寸法を取り得る。
【０００８】
図２は、本考案にかかるバスマット敷板１の裏面を示す斜視図である。複数の桟２をスノコ状に固定するため、各桟２の両外側には外桁３ａ、４ａが配され、中央には中央桁３ｂ、４ｂが配されている。各桟２と各桁３、４との接合手段は特に限定するものではないが、ネジで固定したり釘打ち等が考えられる。その際、ネジや釘の頭が突出しないよう、各桁３、４にはそれぞれ溝３′、４′が設けられている。
【０００９】
一方の中央桁３ｂの外端には、二枚のスノコ状板を逆Ｖ字状に保持するための支持体５が備えられている。支持体５は、金属等による一本の円形棒状体が所定の形状に成形されたものであり、中央桁３ｂの外端に設けられた孔に該支持体５の装着部５ｂを差し込むことにより、その部分を軸として回動自在となっている。そして支持体５の先端には、二枚のスノコ状板を逆Ｖ字状に保持する際に一方のスノコ状板の外端を引っ掛けるための掛爪５ａが設けられている。
【００１０】
二枚のスノコ状板を展開した状態でバスマット敷板１を使用した場合に、支持体５が床面と中央桁３ｂとの間で邪魔にならないよう、中央桁３ｂは支持体５の先端よりも短くなっている。これにより、支持体５は中央桁３ｂの高さ内に収まることとなる。このとき支持体５の先端にある掛爪５ａは、ある桟２と桟２との間に形成された通気空間６の間に収まる格好となる。尚、中央桁３ｂを短くすることで落ちた強度を補うため、短くした箇所における中央桁３ｂの両脇に補助桁３ｃを配することが望ましい。
【００１１】
図３は、本考案にかかるバスマット敷板１の干し具としての使用状態を示す斜視図である。二枚のスノコ状板の対向する外桁３ａ、４ａの内端は、連結部材１０により折畳み可能に連結されているため、該二枚のスノコ状板を展開した状態で敷板として使用していたバスマット敷板１を、図面に示すような形態、すなわちバスマット干し具として使用する状態に容易に移行することができる。このとき、支持体５の先端にある掛爪５ａに一方のスノコ状板の外端が引っ掛かり、二枚のスノコ状板は逆Ｖ字状に保持される。
【００１２】
図４は、本考案にかかるバスマット敷板１を折り畳んだ状態を示す斜視図である。バスマット敷板１の不使用時等において収納する際の格納性に資するよう、コンパクトに折り畳んだ状態にすることもできる。すなわち、完全に二つ折りにされた状態で折り畳まれて、格納に場所を取られることがなくなる。
【００１３】
図５は、本考案にかかるバスマット敷板１における二枚のスノコ状板の連結構造を示す斜視図である。二枚のスノコ状板の対向する外桁３ａ、４ａの内端は、連結部材１０により折畳み可能に連結されている。連結部材１０については特に限定されないが、図面においては、布製片や弾性片等を連結部材１０として使用した場合の連結構造を示している。かかる場合、外桁３ａ、４ａの内端に一片の連結部材１０が止め具１１により固定される。このとき、連結部材１０を外桁３ａ、４ａの内端で固定するだけでなく、桟２と外桁３ａ、４ａとの間にまで連結部材１０を挟み込むようにすることが望ましい。これにより、連結強度が向上する効果がある。
【００１４】
図６は、本考案にかかるバスマット敷板１を展開した場合における二枚のスノコ状板の連結部分を示す斜視図である。上記同様、図面において布製片や弾性片等を連結部材１０として使用した場合の連結構造を示しているが、上記通りに固定された二枚のスノコ状板を展開した際、連結部材１０は図面に示すように二つ折りに折り畳まれた状態となる。
【００１５】
図７は、本考案にかかるバスマット敷板１を展開した状態から干し具としての使用状態へ移行する過程を示す側面図であり、（ａ）は敷板としての使用状態、（ｂ）は干し具として使用するためにスノコ状板を持ち上げた状態、（ｃ）は干し具としての使用状態を示している。
【００１６】
図７（ａ）に示す状態で上面にバスマットを置いてバスマット敷板１として使用していたものをバスマット干し具として使用する場合、図７（ｂ）に示すように、二枚のスノコ状板における連結部材１０によって連結されている箇所が持ち上げられることにより行われる。そのとき、回動自在に備えられた支持体５は持ち上げられることなく、床面に接した位置をほぼそのままにして、二枚のスノコ状板は連結箇所において逆Ｖ字状に屈折しながら、引き上げ起立させられる。そして、図７（ｃ）に示す通り、支持体５の先端に設けられた掛爪５ａに一方のスノコ状板の外端を掛けることにより、二枚のスノコ状板は逆Ｖ字状に保持され、バスマット敷板１がバスマット干し具として使用できる状態となる。
【００１７】
上記の通り、敷板から干し具へ移行させることは、スノコ状板を持ち上げてその外端を支持体５先端にある掛爪５ａに掛けるという非常に簡単な作業であり、また、バスマット自体に直接触って持ち上げることなく作業することができるため、衛生的側面からも大変に効果を発揮する。
【図面の簡単な説明】
【００１８】
【図１】本考案にかかるバスマット敷板を示す斜視図である。
【図２】本考案にかかるバスマット敷板の裏面を示す斜視図である。
【図３】本考案にかかるバスマット敷板の干し具としての使用状態を示す斜視図である。
【図４】本考案にかかるバスマット敷板を折り畳んだ状態を示す斜視図である。
【図５】本考案にかかるバスマット敷板における二枚のスノコ状板の連結構造を示す斜視図である。
【図６】本考案にかかるバスマット敷板を展開した場合における二枚のスノコ状板の連結部分を示す斜視図である。
【図７】本考案にかかるバスマット敷板を展開した状態から干し具としての使用状態へ移行する過程を示す側面図である。
【符号の説明】
【００１９】
１    バスマット敷板
２    桟
３    桁
３′  溝
３ａ  外桁
３ｂ  中央桁
３ｃ  補助桁
４    桁
４′  溝
４ａ  外桁
４ｂ  中央桁
５    支持体
５ａ  掛爪
５ｂ  装着部
６    通気空間
１０    連結部材
１１    止め具
【図１】
0003104551.tif 000003
【図２】
0003104551.tif 000004
【図３】
0003104551.tif 000005
【図４】
0003104551.tif 000006
【図５】
0003104551.tif 000007
【図６】
0003104551.tif 000008
【図７】
0003104551.tif 000009